(57)【要約】  【課題】常に照明用ランプを即時点灯可能な状態に維持すると共に、発電機の不要な作動を防止して静粛性を向上する。  【解決手段】マイクロコンピュータ１１は、リモコン信号を受けて、ランプ点灯信号による電圧変換器２１を介したＨＩＤランプ２の点灯／消灯の切換制御、セルモータ信号によるエンジン２５の起動や点火カット信号によるエンジン２５の停止、バッテリ状態検出回路２０からの入力信号に基づいて出力される整流制御信号による整流回路２７を介したバッテリ３の充電制御、インバータ制御回路３０を介した交流出力の制御等を実行する。これにより、常にＨＩＤランプ２を即時点灯可能な状態に維持することができると共に、発電機の不要な作動を防止して静粛性を向上することができる。【選択図】図３
2006012736.tif 000002
【特許請求の範囲】
【請求項１】
台座に立設した支柱の上部に、照明用ランプを装備してなる投光機であって、
上記照明用ランプに電力を供給するためのバッテリと、
上記バッテリを充電するための発電機と、
上記発電機による上記バッテリの充電を自動的に制御する制御手段とを備えたことを特徴とする投光機。
【請求項２】
上記発電機は、上記バッテリの充電用電源と商用交流電源とを出力可能なエンジン駆動式の発電機であることを特徴とする請求項１記載の投光機。
【請求項３】
制御手段は、上記発電機による上記バッテリの充電制御に加え、上記照明用ランプの点灯／消灯を、遠隔操作信号によって制御可能であることを特徴とする請求項１又は２記載の投光機。
【発明の詳細な説明】
【技術分野】
【０００１】
本発明は、台座に立設した支柱の上部に、照明用ランプを装備してなる投光機に関する。
【背景技術】
【０００２】
一般に、投光機 は、夜間の工事、天災等の緊急時、その他の用途に広く使用されており、台座に立設した伸縮自在な支柱の上端に照明用ランプを備え、使用時は支柱を伸長して照明用ランプの高さ・角度を調整し、使用後には照明ランプの高さ・角度を使用時とは異なる状態に戻して支柱を縮小し、収納するようにしている。
【０００３】
このような投光機の電源としては、従来、発動発電機や商用電源等が利用されており、例えば、特許文献１には、投光機のランプの照灯に必要な電源特性を満たすべく構成したエンジン発電機を用いる技術が開示されている。また、特許文献２には、商用電源によって充電される蓄電池を用い、この蓄電池からの直流電力を交流電力に変換して交流点灯式の投光器を点灯する技術が開示されている。
【特許文献１】特開平１０−１２７０２５号公報
【特許文献２】特開平１１−２２４５０６号公報
【発明の開示】
【発明が解決しようとする課題】
【０００４】
しかしながら、特許文献１に開示されているように、発電機の出力によって照明用ランプを点灯させるものでは、発電機を運転してから、一定出力となるまでは照明用ランプを点灯させることができず、緊急時等のように、照明用ランプの即時点灯が必要な場合に対処できないばかりでなく、ランプ点灯中は常に発電機を運転しなければならないため、騒音が大きいという問題がある。
【０００５】
このような騒音の問題は、特許文献２に開示されているように、ランプ点灯用の電源として蓄電池を利用することで対処できるが、常に蓄電池の充電状態を良好に維持しなければならないといった煩雑な管理が必要であり、蓄電池の容量が低下してしまい、蓄電池の充電のための商用電源が利用できない状況が発生すると、ランプを点灯させることができず、同様に、緊急時に対応できない虞がある。
【０００６】
本発明は上記事情に鑑みてなされたもので、常に照明用ランプを即時点灯可能な状態に維持すると共に、発電機の不要な作動を防止して静粛性を向上することのできる投光機を提供することを目的としている。
【課題を解決するための手段】
【０００７】
上記目的を達成するため、本発明による投光機は、台座に立設した支柱の上部に、照明用ランプを装備してなる投光機であって、上記照明用ランプに電力を供給するためのバッテリと、上記バッテリを充電するための発電機と、上記発電機による上記バッテリの充電を自動的に制御する制御手段とを備えたことを特徴とする。
【０００８】
その際、発電機は、バッテリの充電用電源と商用交流電源とを出力可能なエンジン駆動式の発電機であることが望ましく、また、制御手段は、発電機によるバッテリの充電制御に加え、照明用ランプの点灯／消灯を、遠隔操作信号によって制御可能であることが望ましい。
【発明の効果】
【０００９】
本発明による投光機は、照明用ランプに電力を供給するためのバッテリと、このバッテリを充電するための発電機とを備えて、発電機によるバッテリの充電を自動的に制御するので、常に照明用ランプを即時点灯可能な状態に維持することができると共に、発電機の不要な作動を防止して静粛性を向上することができる。
【発明を実施するための最良の形態】
【００１０】
以下、図面を参照して本発明の実施の形態を説明する。図１〜図５は本発明の実施の一形態に係り、図１は投光機の側面図、図２は投光機の正面図、図３は制御系のブロック図、図４はランプ点灯制御処理のフローチャート、図５はバッテリ充電制御処理のフローチャートである。
【００１１】
図１及び図２に示すように、投光機１は、照明用ランプ２に電力を供給するバッテリ３と、このバッテリ３を充電するための発電機４とを備えるハイブリッド型の投光機であり、投光に際しての発電機４の不要な作動を防止して静粛性を向上する共に、照明用ランプ２を即時点灯可能となっている。照明用ランプ２は、本形態においては、メタルハライドランプ、高圧ナトリウムランプ、水銀ランプ等の高輝度放電(High Intensity Discharge；ＨＩＤ)ランプであり、以下、照明用ランプ２をＨＩＤランプ２として記載する。
【００１２】
ＨＩＤランプ２は、上下左右に配列された４灯式のランプとして構成され、発電機４を積載する台座５の端部から上方に立設された伸縮自在な支柱６に、投光方向や角度を調整可能に支持されている。また、発電機４は、本形態においては、カバー内部にエンジン及びエンジンの出力軸に連結された発電機や燃料タンク等を収納したポータブル型のエンジン発電機であり、バッテリ３を充電するための直流電圧、及び屋外における各種機器の電源として商用周波数の交流電圧を出力可能となっている。
【００１３】
支柱６のＨＩＤランプ２背面側には、バッテリ３を収納するためのバッテリ搭載部７が設けられ、更に、投光機１全体を移動させるための操向ハンドル８が設けられている。そして、この操向ハンドル８を把持して進退させることにより、台座５の下部に設けられたキャスタ輪９を介しての投光機１全体の移動・方向転換が可能となっている。
【００１４】
ＨＩＤランプ２及び発電機４は、バッテリ搭載部７の上部に配設された制御パネル１０内のコントローラによって制御される。この制御パネル１０内には、図３に示すように、投光機１の制御系における中央制御コントローラとなるマイクロコンピュータ（制御手段）１１が格納されている。このマイクロコンピュータ１１を中心とする制御系においては、ＨＩＤランプ２に対する制御系の構成として、バッテリ３の端子電圧や残存容量等のバッテリ状態を検出するバッテリ状態検出回路２０、バッテリ３の直流電圧をＨＩＤランプ２の点灯に必要な交流高電圧に昇圧して安定化する電圧変換器２１が備えられ、例えばバッテリ搭載部７内に格納されている。
【００１５】
また、マイクロコンピュータ１１によって制御される発電機４の構成としては、例えばガソリン等の燃料で運転されるエンジン２５、このエンジン２５の出力軸に連結されるインナロータと、このインナロータ外周に配設されるステータとからなる発電体２６、発電体２６に設けられたＤＣコイル２６ａからの交流を整流してバッテリ３を充電するための整流回路２７、発電体２６に設けられたステータコイル２６ｂからの交流出力を整流する整流回路２８、整流回路２８の出力を所定の周波数の交流出力に変換するインバータ２９、このインバータ２９を制御するインバータ制御回路３０、インバータ２９の出力に含まれる高周波成分をカットするフィルタ回路３１が備えられている。
【００１６】
マイクロコンピュータ１１は、図示しないコントローラからの無線や赤外線等による遠隔操作信号（リモコン信号）を受けてその内容を解釈し、例えば、ＨＩＤランプ２の点灯制御、発電機４によるバッテリ３の自動充電、手動充電、充電無しの各種モードでの投光機１の制御等を実行する。ＨＩＤランプ２の制御としては、ランプ点灯信号による電圧変換器２１を介したランプ点灯／消灯の切換制御等が実行され、また、発電機４に対する制御としては、セルモータ信号によるエンジン２５の起動や点火カット信号によるエンジン２５の停止、バッテリ状態検出回路２０からの入力信号に基づいて出力される整流制御信号による整流回路２７を介したバッテリ３の充電制御、インバータ制御回路３０を介した交流出力の制御等が実行される。
【００１７】
以下、マイクロコンピュータ１１を制御手段とするランプ点灯制御処理及びバッテリ充電制御処理について、図４，図５のフローチャートを用いて説明する。図４はＨＩＤランプ２の点灯制御処理、図５はバッテリ３の充電制御処理を示すものであり、これらの処理は、リモコン信号による設定に従って単独或いは並行の処理として実行される。
【００１８】
先ず、図４に示すランプ点灯制御処理について説明する。このランプ点灯制御処理では、最初のステップＳ１において、ランプ点灯が指示されているか否かを調べ、点灯指示の場合、ステップＳ２へ進んで、ランプ点灯信号をＯＮにして電圧変換器２１を動作させ、処理を抜ける。その結果、電圧変換器２１からＨＩＤランプ２にバッテリ３の電圧を昇圧して安定化した高電圧が供給され、即座にＨＩＤランプ２が点灯する。一方、ランプ消灯が指示されている場合には、ステップＳ１からステップＳ３へ進み、ランプ点灯信号をＯＦＦにして電圧変換器２１の動作を停止させ、処理を抜ける。その結果、電圧変換器２１からＨＩＤランプ２への高電圧の供給が停止され、ＨＩＤランプ２が消灯する。
【００１９】
次に、図５に示すバッテリ充電制御処理では、最初のステップＳ１１において、バッテリ３の充電無しが選択されているか否かを調べる。そして、充電無しが選択されている場合には、ステップＳ１１からステップＳ１７へジャンプし、充電中であることを示す充電フラグＦをクリアし（Ｆ←０）、ステップＳ１８で、バッテリ３の充電を停止させて処理を抜ける。
【００２０】
このバッテリ３の充電停止は、例えば、リモコン信号により発電機４の交流出力を利用する設定となっており、エンジン２５が駆動されている場合には、発電体２６のＤＣコイル２６ａからの交流出力を整流する整流回路２７の作動を、整流制御信号によって停止させることで、バッテリ３の充電を停止させる。また、発電機４の交流出力を利用しない設定で自動充電処理によりエンジン２５が駆動されている場合には、点火カット信号によりエンジン２５を強制的に停止させることにより、バッテリ３の充電を終了させる。
【００２１】
一方、ステップＳ１１において、充電無しが選択されていない場合、ステップＳ１１からステップＳ１２以降へ進み、バッテリ３の自動充電処理が実行される。この自動充電処理では、先ず、ステップＳ１２において、端子電圧Ｖが下限値ＭＩＮ未満に低下しているか否かを調べる。下限値ＭＩＮは、発電機４からの発電出力を要することなく、バッテリ３のみでＨＩＤランプ２を点灯可能な電力を確保できる下限電圧である。
【００２２】
その結果、Ｖ＜ＭＩＮの場合には、ステップＳ１２からステップＳ１３へ進んで充電フラグＦをセットし（Ｆ←１）、ステップＳ１４でバッテリ３の自動充電を開始し、処理を抜ける。このバッテリ３の自動充電においては、リモコン信号により発電機４の交流出力を利用しない設定となっており、エンジン２５が停止している場合には、セルモータ信号によりエンジン２５を自動的に始動させる。そして、整流制御信号によって整流回路２７を制御し、発電体２６のＤＣコイル２６ａからの交流出力を所定の電圧の直流電圧に変換してバッテリ３を充電する。
【００２３】
また、ステップＳ１２において、Ｖ≧ＭＩＮの場合には、ステップＳ１２からステップＳ１５へ進み、バッテリ３の端子電圧Ｖが上限値ＭＡＸを越えているか否かを調べる。上限値ＭＡＸは、バッテリ３の充電制御におけるハンチング防止のヒステリシス幅を形成するものであり、前述の下限値ＭＩＮをヒステリシス幅の下限として、ヒステリシスの上限電圧となる。
【００２４】
尚、本形態においては、バッテリ３の端子電圧Ｖにより充電を制御しているが、バッテリ３の残存容量を求め、この残存容量によってバッテリ３の充電を制御するようにしても良い。
【００２５】
ステップＳ１５において、Ｖ≦ＭＡＸの場合には、ステップＳ１６へ進んで充電フラグＦの値を参照する。そして、Ｆ＝１の場合、すなわち、充電によりバッテリ３の端子電圧Ｖが下限値ＭＩＮから上昇しているものの、上限値ＭＡＸに達していない場合には、前述のステップＳ１４でバッテリ３の充電を継続したまま処理を抜ける。また、Ｆ＝０の場合、すなわち、充電を停止してからバッテリ３の端子電圧Ｖが低下しているものの、充電を要する下限値ＭＩＮに達していない場合には、ステップＳ１５から前述のステップＳ１８へ進んで充電を停止したまま処理を抜ける。
【００２６】
一方、充電によりバッテリ３の端子電圧Ｖが上昇し、Ｖ＞ＭＡＸになると、ステップＳ１５からステップＳ１７へ進む。ステップＳ１７では、充電フラグＦをクリアし（Ｆ←０）、ステップＳ１８で、発電機４の交流出力を使用していない場合には、点火カット信号によりエンジン２５を強制停止させ、また、発電機４の交流出力を使用している場合には、充電制御信号により整流回路２７の作動を停止させることより、バッテリ３の充電を終了させて処理を抜ける。
【００２７】
このように、投光機１は、発電機４によって充電されるバッテリ３を介してＨＩＤランプ２に電力を供給するため、発電機４を運転することなくＨＩＤランプ２を即時点灯させることができ、静粛性を向上することができる。しかも、バッテリ３の自動充電を選択することにより、発電機４の運転を自動的に制御してバッテリ３を充電させるため、省エネルギー及び低騒音化による使用環境に配慮した投光機とすることができるばかりでなく、バッテリ３の煩雑な管理を要することなくメンテナンス性を向上することができる。万一、バッテリ３の容量が不足するような事態になっても、発電機４の発電出力でＨＩＤランプ２を点灯させることも可能である。
【００２８】
また、夜間の作業において、ＨＩＤランプ２を点灯させながら発電機４からの交流出力を利用することも可能であり、更には、昼間等にＨＩＤランプ２による投光を必要としない場合には、発電機４のみを運転させて交流出力を利用することができるといったように、多目的に使用することができ、利便性を向上することができる。
【図面の簡単な説明】
【００２９】
【図１】投光機の側面図
【図２】投光機の正面図
【図３】制御系のブロック図
【図４】ランプ点灯制御処理のフローチャート
【図５】バッテリ充電制御処理のフローチャート
【符号の説明】
【００３０】
１  投光機
２  照明用ランプ
３  バッテリ
４  発電機
５  台座
６  支柱
１１  マイクロコンピュータ（制御手段）
２５  エンジン
代理人      弁理士      伊    藤      進
【図１】
2006012736.tif 000003
【図２】
2006012736.tif 000004
【図３】
2006012736.tif 000005
【図４】
2006012736.tif 000006
【図５】
2006012736.tif 000007